(57)【要約】【課題】  補聴器を装着した状態で、受話内容が周囲にいる第三者に聞き取られるようなことがなく、かつ受話の音量を低下させることなく補聴器を装着した本人にとっては受話内容を聞き取り易くする。【解決手段】  受話部１０に、耳穴に指向させる第１の音声放出口１８と、補聴器の音取入れ口に指向させる第２の音声放出口２３とが設けられている。スピーカ２９が設けられたスピーカホルダー２５は小軸２６を回動中心として回動自在に支持されている。操作ボタン５を矢印Ａ−Ｂ方向に移動させることによりスピーカ、ホルダー２５のスピーカ孔２７が選択的に第１の音声放出口１８または第２の音声放出口２３を指向する。【選択図】  図１
2007274325.tif 000002
【特許請求の範囲】
【請求項１】
内蔵されたスピーカから放出される音を外部に放出する第１の音声放出口を有する受話部を備えた送受話器において、
前記受話部に第２の音声放出口を設けるとともに前記スピーカを前記受話部に回転自在に支持させ、
前記スピーカによる音の放出方向が前記第１の音声放出口と前記第２の音声放出口とを選択的に指向するように回動させる操作部を前記受話部の外側に設けたことを特徴とする送受話器。
【請求項２】
前記受話部に第１のストッパと第２のストッパとを設けるとともに、ホルダーを介して前記スピーカを前記受話部に回転自在に支持させ、
前記ホルダーに、前記第１のストッパまたは第２のストッパに選択的に係合する音声遮蔽部を設け、この音声遮蔽部を選択的に係合させることによって、前記スピーカによる音の放出方向を前記第１の音声放出口または前記第２の音声放出口とに選択的に指向させるとともに、この音声遮蔽部と前記ホルダーと前記第１のストッパまたは前記第２のストッパとによって、前記第１の音声放出口または前記第２の音声放出口を選択的に囲むことを特徴とする請求項１記載の送受話器。
【発明の詳細な説明】
【技術分野】
【０００１】
本発明は、耳掛け型補聴器を装着したまま使用できる送受話器に関するものである。
【背景技術】
【０００２】
通常、送受話器を使って通話を行うときは、受話部の音声放出口を耳穴に対向させるようにして受話部を耳に押し当て受話部によって耳全体を覆っている。ところが、耳掛け型補聴器（以下、単に補聴器という）を装着している利用者にとっては、補聴器の音取入れ口が耳の上部に位置しているため、補聴器の音取入れ口と受話部の音声放出口とが一致しなくなるため、音声放出口から放出される音が聞き取りにくいという問題があった。
【０００３】
この問題を解決したものとして、送話部および受話部とこれらを連結する握り部とからなり、握り部にイヤホンを設けるとともに受話部を握り部から分離可能とした送受話器が提案されている。この送受話器では、受話部を分離すると握り部に音声放出穴が形成されることによって、この音声放出穴から送受話器の外部に放出される音を補聴器の音取り入れ口で集音している（例えば、特許文献１参照）。
【特許文献１】特開２００３−８７３８０号公報（段落「００１１」〜「００１６」、図１）
【発明の開示】
【発明が解決しようとする課題】
【０００４】
上述した従来の送受話器においては、受話音を補聴器の音取り入れ口から取り入れる以前に、一旦受話音を音声放出穴から送受話器の外部に放出する構造にしているため、受話内容が周囲にいる第三者に聞き取られるという問題があった。また、一旦受話音を送受話器外に放出する構造にしていることにより、受話音が周囲に拡散した後に補聴器の音取り入れ口から取り入れるために受話音の音量が低下したり、周囲の雑音が音取り入れ口から取り入れられたりするおそれもあるから、受話音が聞き取りにくくなるという問題もあった。
【０００５】
本発明は上記した従来の問題に鑑みなされたものであり、その目的とするところは、補聴器を装着した状態で、受話内容が周囲にいる第三者に聞き取られるようなことがなく、かつ受話の音量を低下させることなく補聴器を装着した本人にとっては聞き取り易くした送受話器を提供するところにある。
【課題を解決するための手段】
【０００６】
この目的を達成するために、請求項１に係る発明は、内蔵されたスピーカから放出される音を外部に放出する第１の音声放出口を有する受話部を備えた送受話器において、前記受話部に第２の音声放出口を設けるとともに前記スピーカを前記受話部に回転自在に支持させ、前記スピーカによる音の放出方向が前記第１の音声放出口と前記第２の音声放出口とを選択的に指向するように回動させる操作部を前記受話部の外側に設けたものである。
【０００７】
請求項２に係る発明は、請求項１に係る発明において、前記受話部に第１のストッパと第２のストッパとを設けるとともに、ホルダーを介して前記スピーカを前記受話部に回転自在に支持させ、前記ホルダーに、前記第１のストッパまたは第２のストッパに選択的に係合する音声遮蔽部を設け、この音声遮蔽部を選択的に係合させることによって、前記スピーカによる音の放出方向を前記第１の音声放出口または前記第２の音声放出口とに選択的に指向させるとともに、この音声遮蔽部と前記ホルダーと前記第１のストッパまたは前記第２のストッパとによって、前記第１の音声放出口または前記第２の音声放出口を選択的に囲むものである。
【発明の効果】
【０００８】
請求項１に係る発明によれば、第２の音声放出口を補聴器の音取入れ口に指向させることができることにより、第２の音声放出口から放出された受話音が周囲に漏洩することがないから、補聴器を装着した状態で受話内容が周囲にいる第三者に聞き取られるようなことがない。また、第２の音声放出口から放出された音が周囲に漏洩することがないため、補聴器の音取入れ口に取り入れられる受話音の音量が低下することがなく受話内容が聞き取り易くなる。
【０００９】
請求項２に係る発明によれば、第１の音声放出口または第２の音声放出口から放出される受話音が送受話器の内部に漏洩するようなことがないから、これら第１および第２の音声放出口から放出される受話音の音量が低下することがなく受話内容が一層聞き取り易くなる。
【発明を実施するための最良の形態】
【００１０】
以下、本発明の実施の形態を図に基づいて説明する。図１は本発明に係る送受話器の主要部を示し、同図（Ａ）は同図（Ｂ）におけるI（Ａ）-I（Ａ） 線断面図、同図（Ｂ）は同図（Ａ）におけるI（Ｂ）-I（Ｂ） 線断面図、図２は同じく補聴器を耳に装着した状態を示す斜視図である。
【００１１】
図１に全体を符号１で示す送受話器は、共に一面が開口されプラスチックによって浅底状に形成されたアッパーケース２とロアーケース３とによって構成されており、これら両ケース２，３の互いの開口を対向させるようにして両ケース２，３を結合することによって送受話器１が形成されている。５は直方体状に形成された操作ボタンであって、両側部に一対の小突起６，６が突設されており、矢印Ａ方向の端部には、棒状に形成された金属製の作動バー７の一端が枢着されている。
【００１２】
アッパーケース２の上部には、幅がＷに形成され、長さがＬ１に形成された溝８が設けられており、この溝８には操作ボタン５が矢印Ａ−Ｂ方向に摺動自在に支持されている。この溝８の矢印Ａ−Ｂ方向の両端部に位置する両側部には、操作ボタン５の小突起６，６が係入される凹部（図示せず）が設けられており、この凹部に小突起６が係入されることによって操作ボタン５が溝８の矢印Ａ−Ｂ方向の両端部に位置付けられる。９は作動バー７が挿通される細溝であって、溝８の一部に延在するように長さＬ２に形成されている。
【００１３】
ロアーケース３の矢印Ａ方向の端部には、平面視において略矩形状に形成された受話部１０が設けられており、この受話部１０は底板１１と、この底板１１を囲むように底板１１の周縁から一体に立設され、四つの側板１３ないし１６からなる囲い壁１２とによって形成されている。底板１１には多数の小孔１７からなる第１の音声放出口１８が設けられており、底板１１の内面には、この第１の音声放出口１８の矢印Ａ−Ｂ方向の端縁から一体に立設された第１のストッパ１９と第１のストッパと第２のストッパとを兼用する第１および第２の兼用ストッパ２０とが設けられている。これら第１のストッパ１９と第１および第２の兼用ストッパ２０とは、側板１４と側板１６との間に延在するように設けられている。
【００１４】
側板１３の内面には、第２のストッパ２１が一体に突設されており、この第２のストッパ２１は側板１４と側板１６との間に延在するように設けられている。また、側板１３の底板１１側の端部には、断面が逆Ｌ字状に形成された張り出し部２２が設けられており、この張り出し部２２の端部と底板１１の矢印Ａ方向の端部との間には、第２の音声放出口２３が設けられている。２４，２４は側板１４，１６に互いに対向するように設けられた上方が開口されたＵ字溝である。
【００１５】
２５は上面の一部が開口され箱状に形成されたスピーカホルダーであって、両側部にロアーケース３のＵ字溝２４，２４に係入される小軸２６，２６が突設されており、底部に多数のスピーカ孔２７が設けられている。また、このスピーカホルダー２５の底部の矢印Ａ−Ｂ方向の端部には、一対の音声遮蔽部２８Ａ，２８Ｂが一体に突設されており、これら音声遮蔽部２８Ａ，２８Ｂは、側板１４と側板１６との間に延在するように設けられている。２９はスピーカホルダー２５の底部に取り付けられたスピーカであって、このスピーカ２９から放出される音はスピーカ孔２７から放出される。
【００１６】
前記スピーカホルダー２５は、小軸２６，２６がロアーケース３のＵ字溝２４，２４に係入されていることにより、小軸２６を回動中心として、時計方向および反時計方向に回動自在に支持され、音声遮蔽部２８Ａ，２８Ｂのそれぞれが第１のストッパ１９と第１および第２の兼用ストッパ２０とに係合することにより、スピーカ孔２７が第１の音声放出口１８を指向する。また、スピーカホルダー２５が、同図（Ｂ）において時計方向に回動し、図中二点鎖線で示すように、音声遮蔽部２８Ａ，２８Ｂのそれぞれが第１および第２の兼用ストッパ２０と第２のストッパ２１とに係合することにより、スピーカ孔２７が第２の音声放出口２３を指向する。
【００１７】
スピーカホルダー２５の上部には、上記した作動バー７の他端部が枢着されており、操作ボタン５を図中実線で示すように溝８の矢印Ａ方向の端部に位置付けることにより、スピーカホルダー２５が小軸２６を回動中心として反時計方向に回動し、スピーカ孔２７が第１の音声放出口１８を指向する。また、操作ボタン５を図中二点鎖線で示すように溝８の矢印Ｂ方向の端部に位置付けることにより、スピーカホルダー２５が小軸２６を回動中心として時計方向に回動し、スピーカ孔２７が第２の音声放出口２３を指向する。
【００１８】
次に、図２を用いて補聴器を耳に装着した状態を説明する。同図において、符号３０で示すものは耳であって、この耳３０に装着された補聴器３１には、周囲の音を補聴器３１内に取り入れ補聴器３１内に設けられたマイクロホン（図示せず）に集音するための音取入れ口３２が設けられている。この音取入れ口３２は、補聴器３１を耳３０に装着した状態で耳３０の上部に位置付けられる。３３は先端に耳穴に差し込むためのイヤホン３４が設けられたフックであって、マイクロホンに集音され増幅された音がフック３３内に設けられた音道（図示せず）を通ってイヤホン３４から耳３０に伝達される。
【００１９】
次に、上記のように構成された送受話器１の使用方法について説明する。先ず、補聴器を必要としない人が使用する場合について説明する。この場合は、図１において、操作ボタン５を実線で示すように矢印Ａ方向に移動させ、スピーカホルダー２５を同図（Ｂ）に実線で示すように小軸２６を回動中心として反時計方向に回動させ、スピーカホルダー２５のスピーカ孔２７を受話部１０の第１の音声放出口１８に指向させる。この状態で、スピーカホルダー２５の音声遮蔽部２８Ａ，２８Ｂのそれぞれが、第１のストッパ１９と第１および第２の兼用ストッパ２０とに係合する。したがって、第１の音声放出口１８が、スピーカホルダー２５の底部と音声遮蔽部２８Ａ，２８Ｂと第１のストッパ１９と第１および第２の兼用ストッパ２０とによって囲まれた状態となる。
【００２０】
この状態で、受話部１０の第１の音声放出口１８を耳穴に対向させるように受話部１０の底板１１を耳に当て、底板１１によって耳全体を囲繞するようにして受話を行う。耳穴に対向した第１の音声放出口１８は、上記したようにスピーカホルダー２５の底部と音声遮蔽部２８Ａ，２８Ｂと第１のストッパ１９と第１および第２の兼用ストッパ２０とによって囲まれた状態となっているため、スピーカホルダー２５のスピーカ口２７から放出されるスピーカ２９の音が送受話器１内に漏洩することがない。このため、第１の音声放出口１８から放出される受話音は音量が低下することなく耳に伝達される。
【００２１】
次に、耳３０に補聴器３１を装着した人が送受話器１を使用する場合について説明する。この場合は、図１において、操作ボタン５を矢印Ｂ方向に移動させ、スピーカホルダー２５を同図（Ｂ）に二点鎖線で示すように小軸２６を回動中心として時計方向に回動させ、スピーカホルダー２５のスピーカ孔２７を受話部１０の第２の音声放出口２３に指向させる。この状態で、スピーカホルダー２５の音声遮蔽部２８Ａ，２８Ｂのそれぞれが、第１および第２の兼用ストッパ２０と第２のストッパ２１とに係合する。したがって、第２の音声放出口２３が、スピーカホルダー２５の底部と音声遮蔽部２８Ａ，２８Ｂと第１および第２の兼用ストッパ２０と第２のストッパ２１とによって囲まれた状態となる。
【００２２】
この状態で、受話部１０の第１の音声放出口１８を耳穴に対向させるように受話部１０の底板１１を耳３０に当てることによって、受話部１０の第２の音声放出口２３が補聴器３１の音取入れ口３２を指向する。したがって、スピーカホルダー２５のスピーカ口２７から放出されるスピーカ２９の音は、第２の音声放出口２３から補聴器３１の音取り入れ口３２に取り入れられる。このように、第２の音声放出口２３を補聴器３１の音取入れ口３２に指向させることができることにより、第２の音声放出口２３から放出された音が周囲に漏洩することがないから、補聴器３１を装着した状態で受話内容が周囲にいる第三者に聞き取られるようなことがない。また、第２の音声放出口２３から放出された受話音が周囲に漏洩することがないから、補聴器３１の音取入れ口３２に取り入れられる受話音の音量が低下することがなく受話内容が聞き取り易くなる。
【００２３】
また、補聴器３１の音取入れ口３２に指向された第２の音声放出口２３は、上記したようにスピーカホルダー２５の底部と音声遮蔽部２８Ａ，２８Ｂと第１および第２の兼用ストッパ２０と第２のストッパ２１とによって囲まれた状態となっている。このため、スピーカホルダー２５のスピーカ口２７から放出されるスピーカ２９の音が送受話器１内に漏洩することがないから、第２の音声放出口２３から放出される音は音量が低下することないため、受話内容が一層聞き取り易くなる。
【００２４】
なお、本実施の形態においては、第２の音声放出口２３を受話部１０の張り出し部２２の端部と底板１１の矢印Ａ方向の端部との間に設けたが、必ずしもこの位置に限定されるということではなく、要は第１の音声放出口１８を耳穴に指向させた状態で、補聴器の種類に応じて第２の音声放出口２３をその補聴器の音取り入れ口に指向させる位置に設ければよい。
【図面の簡単な説明】
【００２５】
【図１】本発明に係る送受話器の主要部を示し、同図（Ａ）は同図（Ｂ）におけるI（Ａ）-I（Ａ） 線断面図、同図（Ｂ）は同図（Ａ）におけるI（Ｂ）-I（Ｂ） 線断面図である。
【図２】本発明に係る送受話器を使用する際に、補聴器を耳に装着した状態を示す斜視図である。
【符号の説明】
【００２６】
１…送受話器、５…操作ボタン、１０…受話部、１８…第１の音声放出口、１９…第１のストッパ、２０…第１および第２の兼用ストッパ、２１…第２のストッパ、２３…第２の音声放出口、２４…Ｕ字溝、２５…スピーカホルダー、２６…小軸、２７…スピーカ孔、２８Ａ，２８Ｂ…音声遮蔽部、２９…スピーカ、３０…耳、３１…補聴器、３２…音取入れ口。
【図１】
2007274325.tif 000003
【図２】
2007274325.tif 000004